(57)【要約】【課題】非接触認識装置（ＲＦＩＤ／タグ）を備える複数シートを重ねた状態で有する積層シート状製品で所望の（特に最上層の）シートのタグのみに対して読み書きを行う。【解決手段】複数のシートを積層した積層シート状製品である。２以上のシートの各々に、タグ本体部とアンテナとを含むタグを設け、アンテナを、平面から見たときに互いに異なる領域に位置するように配置し、タグを設けた２以上のシートのうち、下層にタグが設けられた他のシートが存在するシートに、導電体部を設け、当該導電体部を、平面から見たときに下層の他のシートに設けられたアンテナを覆うように形成する。別の例では、アンテナを、平面から見たときに略同一の領域に位置するように配置し、上記と同様に下層シートのアンテナを覆う導電体部を設ける。導電体部は別シートとしても良い。【選択図】図１
2006185371.tif 000002
【特許請求の範囲】
【請求項１】
複数のシートを積層してなる積層シート状製品であって、
前記複数のシートのうちの２以上のシートの各々に、情報を記憶可能な記憶部および通信回路を含む非接触認識装置本体部とアンテナ配線とを含む非接触認識装置を備え、
前記アンテナ配線を、平面から見たときに互いに異なる領域に位置するように配置し、
前記非接触認識装置を備えた２以上のシートのうち、下層に非接触認識装置が備えられた他のシートが存在するシートに、導電体部を備え、
当該導電体部を、平面から見たときに下層の他のシートに設けられたアンテナ配線を覆うように形成した
ことを特徴とする積層シート状製品。
【請求項２】
複数のシートを積層してなる積層シート状製品であって、
前記複数のシートのうちの２以上のシートの各々に、情報を記憶可能な記憶部および通信回路を含む非接触認識装置本体部とアンテナ配線とを含む非接触認識装置を設け、
前記アンテナ配線を、平面から見たときに互いに異なる領域に位置するように配置し、
前記非接触認識装置を備えたシートの間、または、最表面に、下層のシートに備えたアンテナ配線を覆う導電体部を有したシートを備えた
ことを特徴とする積層シート状製品。
【請求項３】
複数のシートを積層してなる積層シート状製品であって、
前記複数のシートのうちの２以上のシートの各々に、情報を記憶可能な記憶部および通信回路を含む非接触認識装置本体部とアンテナ配線とを含む非接触認識装置を設け、
前記アンテナ配線を、平面から見たときに略同一の領域に位置するように配置し、
前記非接触認識装置を設けた２以上のシートのうち、下層に非接触認識装置が設けられた他のシートが存在するシートに、導電体部を設け、
当該導電体部を、平面から見たときに下層の他のシートに設けられたアンテナ配線を覆うように形成した
ことを特徴とする積層シート状製品。
【請求項４】
複数のシートを積層してなる積層シート状製品であって、
前記複数のシートのうちの２以上のシートの各々に、情報を記憶可能な記憶部および通信回路を含む非接触認識装置本体部とアンテナ配線とを含む非接触認識装置を備え、
前記アンテナ配線を、平面から見たときに略同一の領域に位置するように配置し、
前記非接触認識装置を備えたシートの間、または、最表面に、下層のシートに備えたアンテナ配線を覆う導電体部を有したシートを備えた
ことを特徴とする積層シート状製品。
【発明の詳細な説明】
【技術分野】
【０００１】
本発明は、非接触認識装置を備えた積層シート状製品に係り、特に宅配便の配送伝票のような複数枚のシートが重ねられた積層製品の各シートにＩＣタグを取り付け、これらを個別に読み書きできるようにする技術に関する。
【背景技術】
【０００２】
ＩＣ技術の進歩により、ＲＦＩＤ（Radio Frequency Identification／電波方式認識）あるいはＩＣタグと称される、近接無線交信を使用する非接触型の認識装置が開発され近年利用されつつある。かかる非接触認識装置（以下、単にタグと称することもある）は、一般に、通信制御回路とメモリを内蔵するＩＣチップと、アンテナとを備えており、ホスト装置（リーダライタ）と至近距離で無線交信を行うことにより、メモリ内の情報を読み出しあるいはメモリ内に情報を書き込むことが可能である。
【０００３】
非接触認識装置の利用形態としては、例えばチケットにタグを取り付けて正規のチケットか否かの判定を行ったり（下記特許文献１）、書類にタグを配して管理を行う（下記特許文献２）提案がなされている。また、本のサプライチェーン上における様々な情報のハンドリングを可能とするために書籍にタグを付け（下記特許文献３）、あるいは飲食物の包装にタグを配するものがある（下記特許文献４）。さらに、宅配貨物や郵便小包の配送伝票にタグを付けることにより、配送管理を行う提案がなされている（下記特許文献５）。
【０００４】
【特許文献１】特開２０００−３２６６７２号公報
【特許文献２】特開２００２−１２０４７５号公報
【特許文献３】特開２００２−３３７４８２号公報
【特許文献４】特開２００３−１５５０６２号公報
【特許文献５】特開２００３−２２１１２６号公報
【発明の開示】
【発明が解決しようとする課題】
【０００５】
ところで、従来の非接触認識装置の利用形態は、単体の書類やシートにタグを取り付けて情報管理を行うに留まるもので、宅配荷物や郵便小包に使用される配送伝票のような複数枚のシート（帳票）を重ねた伝票や書類について各シート固有の情報を読み書きして各シートを個別に管理するようなこと、言い換えれば、荷物配送の各段階（例えば荷物の受付、受付地区の集配所での荷扱い、運送、配送先地区の集配所での荷扱い、届け先での配送荷物の受領）で各段階に固有の情報を読み書きすることによって、時系列的に配送過程をよりきめ細かく管理することは出来ない。
【０００６】
なぜなら、各帳票にタグを取り付けた場合、光学的にデータを読み取るバーコード等とは異なり非接触認識装置では、下層の帳票に設けたタグとも通信が可能で、たとえタグ位置（アンテナ位置）を多少ずらしたとしても、所望のタグとだけ選択的に通信（データの授受）を行うことは出来ないからである。
【０００７】
配送管理に係る上記特許文献５の発明も、特許文献１から４と同様に、伝票に単純にタグを付けて伝票全体に固有の情報を記憶させ、これを利用するに過ぎない。したがって、配送の各段階（各帳票）に固有の情報を読み書きして利用できるものではなく、例えば各帳票にタグを設けて特定の（例えば最上層の）帳票に対してだけ情報を読み書きするようなことは出来ない。
【０００８】
一方、各シート固有の情報管理までは必要としない利用形態であっても、取扱い過程（例えば配送段階）でタグが付されたシートから分離されたシートについては、タグに格納されている情報（電子データ）を最早得ることは出来ず、これを利用することが出来ない不便がある。
【０００９】
したがって、本発明の目的は、非接触認識装置を備える複数のシートを重ねた状態で有する積層シート状製品において所望の（特に最上層の）シートのタグのみに対して読み書きを可能とする点にある。
【課題を解決するための手段】
【００１０】
前記目的を達成して課題を解決するため、本発明の第一の積層シート状製品は、複数のシートを積層してなる積層シート状製品であって、前記複数のシートのうちの２以上のシートの各々に、情報を記憶可能な記憶部および通信回路を含む非接触認識装置本体部とアンテナ配線とを含む非接触認識装置を備え、前記アンテナ配線を、平面から見たときに互いに異なる領域に位置するように配置し、前記非接触認識装置を備えた２以上のシートのうち、下層に非接触認識装置が備えられた他のシートが存在するシートに、導電体部を備え、当該導電体部を、平面から見たときに下層の他のシートに設けられたアンテナ配線を覆うように形成した。
【００１１】
本発明の第一の積層シート状製品では、複数のシートを積層した積層シート状製品の２以上のシートに非接触認識装置（タグ）を設けるが、当該タグのアンテナ配線を平面から見たときに互いに異なる領域に位置するように配置し、かつタグ（非接触認識装置）を備えたシートが下層に存在するシートについて導電体部を設け、この導電体部により下層シートのアンテナ配線を覆うようにした。したがって、シートに設けられたタグと通信（データの読み書き）を行う場合に、当該シートに設けられた導電体部が当該シートより下層のシートのアンテナ配線を覆って下層シートのタグとの通信を防ぎ、これにより当該上層シートに設けたタグだけに対してデータの読み書きを行うことが可能となる。
【００１２】
上記導電体部は、その種類や材料は特に限定されないが、例えばカーボンペーストにより形成した導体膜、あるいは銅やアルミニウムその他の金属からなるフィルムにより構成することが出来る。導電体部を形成するには、例えば塗布、接着、溶着、圧着等の方法によりシートの表面または裏面に導電体部を形成すれば良い。
【００１３】
また、本発明にいう非接触認識装置は、必ずしもリーダライタまたはリーダ（本願においてリーダライタと言った場合にはこの両者が含まれる）から電源を供給して読み書きを行う受動型タグに限られるものではなく、タグに電力供給源を有してリーダライタからの電力供給によらず動作する電源搭載型タグも含むものである。さらに、情報の読み出しと書き込みの両方が可能なタイプ、１回だけ書き込み可能な追記タイプ、あるいは、読み出しのみが可能なリード専用タイプのいずれのタイプのタグも本発明の非接触認識装置に含まれる。
【００１４】
また、本発明にいう積層シート状製品は、荷物の配送に使用される配送伝票のほか、例えば回数券等のチケット類や書類その他、複数枚のシートを重ねた状態で備える様々なシート状製品を含み、本発明はこれらに対し広く適用することが可能である。さらに、シートの種類、材質、形状、サイズ等についても特に限定はなく、例えば紙、樹脂フィルム、布、２種類以上の材料により形成された複合シート材その他、様々なシート材料であって良い。
【００１５】
さらに、本発明の第二の積層シート状製品は、複数のシートを積層してなる積層シート状製品であって、前記複数のシートのうちの２以上のシートの各々に、情報を記憶可能な記憶部および通信回路を含む非接触認識装置本体部とアンテナ配線とを含む非接触認識装置を設け、前記アンテナ配線を、平面から見たときに略同一の領域に位置するように配置し、前記非接触認識装置を設けた２以上のシートのうち、下層に非接触認識装置が設けられた他のシートが存在するシートに、導電体部を設け、当該導電体部を、平面から見たときに下層の他のシートに設けられたアンテナ配線を覆うように形成した。
【００１６】
本発明の第二の積層シート状製品では、平面から見たときに略同一の領域に位置するようにアンテナ配線を配置するが、前記第一の積層シート状製品と同様に、下層の他のシートに設けられたアンテナ配線を覆うような導電体部を設けるから、この導電体部によって下層のタグとの通信が遮断され、当該最上層のタグとのみ通信を行ってデータの読み書きを行うことが出来る。
【００１７】
また、上記第一および第二の積層シート状製品では、導電体部を、非接触認識装置を備えたシートに設けたが、当該導電体部を別のシートに設けても良い。すなわち、非接触認識装置を設けたシートの間、または、最表面に、これより下層のシートに設けたアンテナ配線を覆う導電体部を備えたシート（以下、導電体シートという）を設けるようにしても良い。このような積層シート構造によっても、上記第一および第二の積層シート状製品（導電体部）と同様に、導電体シートによって下層シートのアンテナ配線が覆われ、下層シートのタグとの通信が遮断されるから、上層シートのタグとのみ通信を行うことが可能となる。
【発明の効果】
【００１８】
本発明によれば、非接触認識装置を備える複数のシートを重ねた状態で有する積層シート状製品において所望の（特に最上層の）シートのタグのみに読み書きすることが可能となる。
【００１９】
本発明の他の目的、特徴および利点は、以下の本発明の実施の形態の説明により明らかにする。
【発明を実施するための最良の形態】
【００２０】
図１および図２は、本発明の一実施形態に係る積層シート状製品として宅配用の配送伝票を示すものである。これらの図に示すようにこの配送伝票１１は、上面（伝票表面）から下面（伝票裏面）に向け順に、依頼主控票１１ａ、窓口業者控票１１ｂ、配送業者控票１１ｃおよび配送先控票１１ｄの４枚の帳票を積層した状態で備え、これら各帳票１１ａ〜１１ｄを切り離し可能に一端部１２で一体に束ねたものである。
【００２１】
４枚の各帳票１１ａ〜１１ｄには、略同位置にタグ１６ａ〜１６ｄを取り付けるためのタグ配置部１３ａ〜１３ｄを設けてあり、これらのタグ配置部１３ａ〜１３ｄにそれぞれ非接触認識装置（ＲＦＩＤ／タグ）１６ａ〜１６ｄを設けてある。尚、各帳票１１ａ〜１１ｄにおけるタグ配置部１３ａ〜１３ｄの形成位置は、図示の例のほかにも様々な位置であって良い。
【００２２】
図３は、上記配送伝票１１におけるタグ配置部１３ａ〜１３ｄを拡大しかつ分解して示すものである。同図に示すように各帳票１１ａ〜１１ｄに設けたタグ１６ａ〜１６ｄは、ＩＣチップ１４ａ〜１４ｄとアンテナ配線（以下、単にアンテナという）１５ａ〜１５ｄとを有する。ＩＣチップ１４ａ〜１４ｄは、従来から知られたＲＦＩＤが有する機能を実現するための諸回路を内蔵している。具体的には、図５に示すように情報を記憶するデータ記憶部（メモリ）３７を有し、リーダライタと近接無線通信を行う通信回路として変調・復調回路３４、共振回路３５および制御部３８を備え、電源回路３３を有する。動作用の電力は、リーダライタからアンテナ１５ａ〜１５ｄを通じて電源回路３３に供給される。
【００２３】
各帳票１１ａ〜１１ｄについて帳票表面のタグ配置部１３ａ〜１３ｄにタグ１６ａ〜１６ｄを配するが、各タグが有するアンテナ１５ａ〜１５ｄを、平面（上面）から見たときにタグ配置部１３ａ〜１３ｄ内で異なる領域に位置するようにずらして配置する。すなわち、伝票１１の最上層の帳票１１ａに設けたアンテナ１５ａの下方（伝票の厚さ方向）には、これより下層の帳票１１ｂ〜１１ｄに設けたアンテナ１５ｂ〜１５ｄは無く、第２層の帳票１１ｂに設けたアンテナ１５ｂの下方には、これより下層の帳票１１ｃ〜１１ｄに設けたアンテナ１５ｃ〜１５ｄは無く、さらに第３層の帳票１１ｃに設けたアンテナ１５ｃの下方には、これより下層の帳票１１ｄに設けたアンテナ１５ｄは存在しないように各アンテナ（タグ）の配置位置を異ならせている。
【００２４】
そして、最上層（第１層）となる依頼主控票１１ａ、その下の層（第２層）である窓口業者控票１１ｂ、並びにさらにその下の層（第３層）である配送業者控票１１ｃの各帳票の表面に、導電体部１８ａ〜１８ｃを設ける。これらの導電体部１８ａ〜１８ｃは、平面から見たときに、当該導電体部１８ａ（導電体部１８ｂ，１８ｃについても同様）を設ける帳票１１ａより下層の帳票１１ｂ〜１１ｄに設けられたアンテナ１５ｂ〜１５ｄを覆う形状および大きさとしてある。タグ１６ａ（タグ１６ｂ，１６ｃについても同様）との通信（データの読み書き）を行うときに当該タグ１６ａが設けられた帳票１１ａより下層の帳票１１ｂ〜１１ｄに設けられたタグ１６ｂ〜１６ｄとの通信を遮断するためである。
【００２５】
より具体的に述べれば、最上層の帳票１１ａに設けた導電体部１８ａは、これより下層の帳票１１ｂ〜１１ｄに設けたアンテナ１５ｂ〜１５ｄを覆い、第２層の帳票１１ｂに設けた導電体部１８ｂは、これより下層の帳票１１ｃ〜１１ｄに設けたアンテナ１５ｃ〜１５ｄを覆い、第３層の帳票１１ｃに設けた導電体部１８ｃは、これより下層の帳票１１ｄに設けたアンテナ１５ｄを覆うように設けてある。尚、各導電体部１８ａ〜１８ｃは、例えばカーボンペーストを印刷法で塗布することにより形成することが出来る。
【００２６】
導電体部１８ａ〜１８ｃは、下層のタグとの通信をより完全に遮断するため、下層のアンテナを完全に覆うことが望ましいが、下層のアンテナの一部（例えば大部分）を覆うものであっても下層のアンテナ機能（タグの通信機能）を遮断することが出来るから、このような構成も本発明に含まれる。さらに導電体部１８ａ〜１８ｃは、必ずしも各帳票１１ａ〜１１ｃに一体に設けられている必要はなく、別シートとして構成することも可能である。
【００２７】
また、上記実施形態では、タグ１６ａ〜１６ｄ（ＩＣチップ１４ａ〜１４ｄおよびアンテナ１５ａ〜１５ｄ）を帳票の表面に設けたが、各帳票の裏面に設けても良い。またＩＣチップ１４ａ〜１４ｄを帳票１１ａ〜１１ｄの表面に、アンテナ１５ａ〜１５ｄを帳票１１ａ〜１１ｄの裏面に設け、あるいはこれとは逆にＩＣチップ１４ａ〜１４ｄを裏面に、アンテナ１５ａ〜１５ｄを表面に設けることも可能である。さらに、積層する帳票（シート）の枚数は、４枚に限られるものでは勿論なく、２枚、３枚または５枚以上であっても良い。また、タグを有しない帳票が伝票１１に含まれていても構わない。また、上記導電体部１８ａ〜１８ｃは、当該導電体部より下層のアンテナを覆うことが出来るものであれば、形状や大きさは特に問わない。
【００２８】
さらに、上記実施形態では、各帳票に設けられるアンテナを異なる領域に位置するようにずらして配置したが、アンテナに関し次のような構成をとることも可能である。
【００２９】
すなわち、図４に示すように伝票最上層のアンテナ１５ａから最下層のアンテナ１５ｄまでを順に小さくなるように構成し、平面から見たときに最上層のアンテナ１５ａの中に第２層のアンテナ１５ｂが含まれ、第２層のアンテナ１５ｂの中に第３層のアンテナ１５ｃが含まれ、さらに第３層のアンテナ１５ｃの中に最下層のアンテナ１５ｄが含まれるように同心円状にあるいは同軸状に各アンテナ１５ａ〜１５ｄを配置する。そして、最上層１１ａから最下層の１つ上層（この例の場合、第３層）の帳票１１ｃまでの各アンテナ１５ａ〜１５ｃの内側領域に導電体部１８ａ〜１８ｃをそれぞれ設け、各導電体部１８ａ〜１８ｃがそれより下層のアンテナを覆うようにする。このような構成によっても最上層のタグとのみ通信を行うことが可能である。
【００３０】
上記実施形態の配送伝票１１によれば、最上層の依頼主控票１１ａのタグ１６ａにリーダライタを当て通信を行う場合には、当該依頼主控票１１ａに設けた導電体部１８ａによって下層の各帳票（窓口業者控票１１ｂ、配送業者控票１１ｃおよび配送先控票１１ｄ）のタグ１６ｂ〜１６ｄとの通信が遮断され、依頼主控票１１ａのタグ１６ａに対してのみデータの読み書きを行うことが可能となる。
【００３１】
また、依頼主控票１１ａが剥がされ、窓口業者控票１１ｂが最上層となった場合には、窓口業者控票１１ｂに設けた導電体部１８ｂがこれより下層の各帳票（配送業者控票１１ｃおよび配送先控票１１ｄ）のタグ１６ｃ，１６ｄとの通信を遮断し、当該窓口業者控票１１ｂのタグ１６ｂとのみ通信を行うことが可能となる。配送業者控票１１ｃについても同様である。
【００３２】
したがって、上記配送伝票によれば、宅配荷物の配送過程で各帳票に固有の情報を読み書きして従来よりきめ細かな配送管理を行うことが出来る。また、配送過程で帳票１１ａ〜１１ｄのいずれかが離れてしまった場合にも、各帳票１１ａ〜１１ｄがタグ１６ａ〜１６ｄを備えているから、これらのタグ１６ａ〜１６ｄにデータを格納しておくことにより電子データを利用することが可能となる。
【００３３】
以上、本発明の実施の形態について説明したが、本発明はこれらに限定されるものではなく、特許請求の範囲に記載の範囲内で種々の変更を行うことができることは当業者に明らかである。
【図面の簡単な説明】
【００３４】
【図１】本発明の一実施形態に係る積層シート状製品（宅配用の配送伝票）を示す斜視図である。
【図２】前記実施形態の配送伝票を各帳票に分離して示す分解斜視図である。
【図３】前記実施形態の配送伝票におけるタグ配置部を拡大して模式的に示す分解斜視図である。
【図４】前記配送伝票の別の構成例を示す分解斜視図である。
【図５】前記実施形態の配送伝票が備えるタグの構成例を示すブロック図である。
【符号の説明】
【００３５】
１１  配送伝票
１１ａ  依頼主控票
１１ｂ  窓口業者控票
１１ｃ  配送業者控票
１１ｄ  配送先控票
１３ａ，１３ｂ，１３ｃ，１３ｄ  タグ配置部
１４ａ，１４ｂ，１４ｃ，１４ｄ  ＩＣチップ
１５ａ，１５ｂ，１５ｃ，１５ｄ  アンテナ
１６ａ，１６ｂ，１６ｃ，１６ｄ  タグ（ＲＦＩＤ）
１８ａ，１８ｂ，１８ｃ  導電体部
３３  電源回路
３４  変調・復調回路
３５  共振回路
３７  データ記憶部
３８  制御部
【図１】
2006185371.tif 000003
【図２】
2006185371.tif 000004
【図３】
2006185371.tif 000005
【図４】
2006185371.tif 000006
【図５】
2006185371.tif 000007